(57)【特許請求の範囲】
【請求項１】
ディスクを１枚だけ装填することができ、前記ディスクから読み出した情報信号をメモリに格納しながら、前記メモリに対する書き込み速度より遅い速度で前記メモリから前記情報信号を読み出すことで、前記メモリに前記情報信号を蓄積しつつ前記ディスクの再生を行うディスク再生装置において、
現在再生中の第１ディスクが前記ディスク再生装置から取り出された場合には、第１ディスクから読み出して前記メモリに蓄積しておいた第１情報信号を消去することなく再生動作を継続し、その第１情報信号の再生中に新たな第２ディスクが前記ディスク再生装置に装填された場合には、第２ディスクに記録されている第２情報信号の読み出しを開始して前記メモリの空き領域に順次格納していき、第１情報信号の再生が終了した時点で自動的に第２情報信号の再生に移行させる制御手段と、
現在再生中の第１ディスクから第１情報信号を全て読み出して前記メモリに格納し終えた後、第１情報信号の再生動作を継続していくうちに、前記メモリから未だ読み出されていない第１情報信号の残量が予め設定した所定値よりも下回った場合に、前記ディスク再生装置の使用者にその旨を知らせる手段と、を設けたことを特徴とするディスク再生装置。
【請求項２】
現在再生中の第１ディスクに記録されている第１情報信号の読み出しを完了していないにも拘わらず、第１ディスクが前記ディスク再生装置から取り出され、かつ前記メモリに蓄積した第１情報信号の再生中に新たな第２ディスクが前記ディスク再生装置に装填された場合には、予め設定しておいた所定時間と、現在再生中の第１情報信号を区切りまで再生し終えるのに要する時間とを比較して、いずれか短い方の時間が経過するまでは第１情報信号の再生を継続し、その後自動的に第２情報信号の再生に移行することを特徴とする請求項１に記載のディスク再生装置。
【請求項３】
現在再生中の第１ディスクが前記ディスク再生装置から取り出されたにも拘わらず、新たな第２ディスクが前記ディスク再生装置に装填されない場合には、前記メモリに蓄積しておいた第１情報信号を全て読み出すまで再生動作を継続することを特徴とする請求項１または請求項２に記載のディスク再生装置。
【請求項４】
現在再生中の第１ディスクが前記ディスク再生装置から取り出されたにも拘わらず、新たな第２ディスクが前記ディスク再生装置に装填されない場合に、前記メモリに蓄積しておいた第１情報信号を消去することなく再生動作を継続するか、前記メモリに蓄積した全ての情報信号を消去して前記ディスク再生装置を停止するかを予め選択しておくための切替手段を設けたことを特徴とする請求項１〜請求項３のいずれかに記載のディスク再生装置。
【発明の詳細な説明】
【０００１】
【発明の属する技術分野】
本発明は、ディスクに記録された音声／音楽データ等の情報信号を再生するディスク再生装置に関するものである。
【０００２】
【従来の技術】
以下では、従来のディスク再生装置として、ミニディスク再生装置（以下、ＭＤ再生装置と呼ぶ）を例に挙げて説明を行う。前記ＭＤ再生装置はミニディスク（以下、ディスクと呼ぶ）にディジタル記録された音声／音楽データ等の情報信号を再生するディジタルオーディオ機器である。ここで、前記ディスクにディジタル記録された前記情報信号には時間軸圧縮が施されている。そのため、前記ＭＤ再生装置は前記ディスクから読み出した情報信号を時間軸伸長した後にディジタル／アナログ変換することで、元の音声／音楽データ等を再生する。
【０００３】
ここで、前記ディスクから情報信号を読み取る速度（通常１．４Ｍｂｉｔ／秒）と、前記情報信号を時間軸伸長して再生する速度（通常０．３Ｍｂｉｔ／秒）との間には差違（通常１．１Ｍｂｉｔ／秒）がある。こうした処理速度の差を吸収するために前記ＭＤ再生装置においては、前記ディスクから読み取った情報信号を一旦格納するためのメモリを具備しており、前記メモリに格納された前記情報信号を再び０．３Ｍｂｉｔ／秒の速度で読み出して再生を行う構成となっている。
【０００４】
近年、前記ＭＤ再生装置の多くが前記メモリとして記憶容量の大きいＤＲＡＭを用いている。これは再生に必要なデータ量以上の前記情報信号を蓄えておくためである。前述の通り、前記メモリに対する前記情報信号の入出力には通常１．１Ｍｂｉｔ／秒の処理速度差があることから、例えば１６ＭｂｉｔのＤＲＡＭを前記メモリとして用いた場合、約１５秒で前記メモリの容量は一杯となり、再生時間にして約４８秒の前記情報信号を蓄えることができる。
【０００５】
こうした構成とすることにより、前記メモリをいわゆるショックプルーフ用に利用することができる。すなわち、前記ＭＤ再生装置に振動等の外乱が加わってピックアップが正しいトラックから外れたとしても、前記メモリに蓄えた前記情報信号を全て読み出してしまうまでに前記ピックアップを正しいトラックに戻せば再生音が途切れることはなく、スムーズな再生を実現することができる。このように前記メモリにおいては、その容量の一部分で前記情報信号の入出力速度差を吸収し、また別の一部分で現在再生中の前記ディスクに関する各種情報を格納し、最後に残った部分で前述のショックプルーフ用に前記情報信号を蓄えている。
【０００６】
なお、前記メモリの容量が一杯となった場合、前記ディスクから読み出された前記情報信号については、所定時間が経過するまで前記メモリへの格納を中断し、前記メモリからの読み出しのみを行う。このように、いわゆる前記ディスクの空読みを行うことで前記メモリに一定容量の空き領域を確保した後、再び前記情報信号を前記メモリに順次記憶していく。
【０００７】
一方、持ち運びの容易な携帯用のＭＤ再生装置では、その電源として充電池や乾電池等を用いているので、可能な限り消費電力を抑える構成が望ましい。そのため、前記メモリの容量が一杯となった場合、前述のように前記ディスクの空読みを行うのではなく、前記ディスクから前記情報信号を読み出すこと自体を所定時間停止し、前記メモリからの読み出しのみを行う構成としている。これにより、前記ディスクの空読みによって無駄に消費される電力を抑え、電池交換を行うことなく連続使用できる時間を延長することができる。
【０００８】
【発明が解決しようとする課題】
ここで、従来のＭＤ再生装置において前記ディスクの交換を行う場合、現在装填されているディスクの再生が終了してから、新たなディスクの再生を開始するまでには少なくとも数秒から数十秒の時間を要し、その間は再生音が出力されない無音状態が続くという課題がある。同様に、再生途中のディスクを取り出して新たなディスクに交換する場合にも、数秒から数十秒は再生音が途切れてしまうという課題もある。
【０００９】
なお、前記ディスクの交換に伴う無音時間は前記ディスクを文字通り交換するために要する時間だけではなく、前記ＭＤ再生装置のサーボ回路を新たに装填したディスクにとって最適な状態に自動調整するために要する時間や、現在装填中のディスクに関する各種情報を前記メモリから破棄するとともに新たに装填したディスクに関する各種情報を格納するための時間、さらには新たに装填したディスクから前記情報信号を読み出して時間軸伸長を行うまでの時間等をトータルしたものである。
【００１０】
こうした無音時間を実質的に短縮するための従来技術が、特開平６−１０３６９９号公報や特開平６−１９５９４８号公報等に示されている。ここに挙げたディスク再生装置はいずれもディスクから読み出したデータを一旦メモリに格納してから再度読み出す構成をとっており、前記メモリに対する入出力の処理速度差を利用して前記ディスクから読み出したデータを前記メモリに蓄積するものである。また、複数枚のディスクをディスクマガジン等に収納しておき自動的に前記ディスクの交換を行う、いわゆるディスクチェンジャー装置を搭載しているディスク再生装置に関するものである。
【００１１】
ここで、従来のディスク再生装置においては、現在装填中のディスクに記録されているデータの読み出しを完了したことをシステムコントローラが検出した場合、前記メモリに格納したデータの読み出しを継続しつつ、前記ディスクチェンジャー装置を用いて新たなディスクへの交換を行い、前記メモリの空いた領域に前もって新たなディスクのデータを読み込むように自動制御を行っている。このような構成とすることにより、現在装填中のディスクに記録されているデータを再生し終わっても、すぐに新たなディスクに記録されているデータの再生を開始することができるので、前述の無音時間を短縮することが可能である。
【００１２】
一方、ディスクを１枚しか装填できないディスク再生装置、特に持ち運びの容易な携帯用のディスク再生装置については、ディスク交換時における無音時間の短縮を実現するための技術は提案されていない。仮に前述の従来技術をそのまま適用しようとしても、前記ディスクの交換作業は使用者である人間が行わざるを得ないため、現在装填中のディスクに記録されているデータの読み出しが完了したか否かを知ることは困難であり、適切な時期にディスク交換を行うことはできず、ディスク交換時における無音時間の短縮を実現することはできない。
【００１３】
本発明は、上記の問題点に鑑み、ディスクを１枚しか装填できないディスク再生装置において、ディスク交換時に生じる無音時間を短縮することができるディスク再生装置を提供することを目的とする。
【００１４】
【課題を解決するための手段】
上記の目的を達成するため、本発明に係るディスク再生装置においては、ディスクを１枚だけ装填することができ、前記ディスクから読み出した情報信号をメモリに格納しながら、前記メモリに対する書き込み速度より遅い速度で前記メモリから前記情報信号を読み出すことで、前記メモリに前記情報信号を蓄積しつつ前記ディスクの再生を行うディスク再生装置において、
現在再生中の第１ディスクが前記ディスク再生装置から取り出された場合には、第１ディスクから読み出して前記メモリに蓄積しておいた第１情報信号を消去することなく再生動作を継続し、その第１情報信号の再生中に新たな第２ディスクが前記ディスク再生装置に装填された場合には、第２ディスクに記録されている第２情報信号の読み出しを開始して前記メモリの空き領域に順次格納していき、第１情報信号の再生が終了した時点で自動的に第２情報信号の再生に移行させる制御手段と、
現在再生中の第１ディスクから第１情報信号を全て読み出して前記メモリに格納し終えた後、第１情報信号の再生動作を継続していくうちに、前記メモリから未だ読み出されていない第１情報信号の残量が予め設定した所定値よりも下回った場合に、前記ディスク再生装置の使用者にその旨を知らせる手段と、を設けている。
【００１５】
さらに、現在再生中の第１ディスクに記録されている第１情報信号の読み出しを完了していないにも拘わらず、第１ディスクが前記ディスク再生装置から取り出され、かつ前記メモリに蓄積した第１情報信号の再生中に新たな第２ディスクが前記ディスク再生装置に装填された場合には、予め設定しておいた所定時間と、現在再生中の第１情報信号を区切りまで再生し終えるのに要する時間とを比較して、いずれか短い方の時間が経過するまでは第１情報信号の再生を継続し、その後自動的に第２情報信号の再生に移行するような構成にするとよい。
【００１７】
加えて、本発明に係るディスク再生装置においては、現在再生中の第１ディスクが前記ディスク再生装置から取り出されたにも拘わらず、新たな第２ディスクが前記ディスク再生装置に装填されない場合には、前記メモリに蓄積しておいた第１情報信号を全て読み出すまで再生動作を継続するものである。
【００１８】
なお、本発明に係るディスク再生装置においては、現在再生中の第１ディスクが前記ディスク再生装置から取り出された場合に、前記メモリに蓄積しておいた第１情報信号を消去することなく再生動作を継続するか、前記メモリに蓄積した全ての情報信号を消去して前記ディスク再生装置を停止するかを予め選択しておくための切替手段を設けている。
【００１９】
【発明の実施の形態】
以下では、本発明に係るディスク再生装置について、携帯用のＭＤ再生装置を例に挙げて説明を行う。図１は本発明に係るＭＤ再生装置の概略構成を示すブロック図である。図中のミニディスク１（以下、ディスク１と呼ぶ）は同心円状または渦巻状のトラックを有しており、音声／音楽データ等の情報信号は前記トラックに沿ってディジタル記録されている。また、ディスク１には音声／音楽データ等の主情報以外に、ディスクタイトル名や各トラックタイトル名、及び音声／音楽データが格納されているメモリのアドレス情報等を含んだＵ−ＴＯＣ情報も記録されている。
【００２０】
ディスク１に記録した情報信号を再生する際、前記ＭＤ再生装置はディスク１をスピンドルモータ２によって線速度一定で回転させるとともに、ピックアップ３を送りモータ４によってディスク１の半径方向にステップ駆動させる。そして、所望のトラックに位置決めしたピックアップ３から前記トラックに向けてレーザビームを照射し、その反射光の強弱変化を再びピックアップ３で検出することにより前記情報信号の読み取りを行う。ここで、ピックアップ３はレーザ光源、コリメートレンズ、ビームスプリッタ、対物レンズ、アクチュエータ、及びディテクタ（いずれも図示せず）等から成る。なお、スピンドルモータ２、ピックアップ３、及び送りモータ４の駆動制御は全てドライバ回路５によって行っている。
【００２１】
ピックアップ３はディスク１から読み取った前記情報信号をＲＦアンプ６に送出する。ＲＦアンプ６は前記情報信号を増幅してデコーダ／信号処理回路７（以下、信号処理回路７と呼ぶ）に出力するとともに、前記情報信号に基づいてフォーカスエラー信号、及びトラッキングエラー信号といったサーボ制御信号を生成してサーボ回路８に送り出す。サーボ回路８は前記サーボ制御信号や、信号処理回路７からのアドレス信号、及びシステムコントロール用マイクロコンピュータ９（以下、システムコントローラ９と呼ぶ）からのコントロール信号に従ってドライバ回路５をコントロールすることで、フォーカシング、トラッキング、及びディスクスピンといった各種動作のサーボ制御を行っている。
【００２２】
一方、信号処理回路７はＲＦアンプ６で増幅された前記情報信号についてアドレス信号の抽出、主信号の復調、誤り訂正といった処理を施す。そして処理の済んだ前記情報信号をショックプルーフメモリコントローラ１０（以下、メモリコントローラ１０と呼ぶ）に送出する。メモリコントローラ１０はショックプルーフメモリ１１に対する情報の書き込み及び読み出しを制御する手段であり、信号処理回路７からの前記情報信号は一旦、ショックプルーフメモリ１１に書き込まれる。この際の書き込みレートは１．４Ｍｂｉｔ／秒である。なお、本実施形態ではショックプルーフメモリ１１として１６ＭｂｉｔのＤＲＡＭを使用している。
【００２３】
また、メモリコントローラ１０はショックプルーフメモリ１１から０．３Ｍｂｉｔ／秒の読み出しレートで前記情報信号を読み出して音声伸長回路１２に送出する。このように、ディスク１から読み出した前記情報信号をショックプルーフメモリ１１に書き込む速度と、ショックプルーフメモリ１１から音声伸長回路１２に前記情報信号を送出する速度との間には１．１Ｍｂｉｔ／秒の差違がある。この処理速度の差によって、ショックプルーフメモリ１１には時間軸圧縮を解く前の前記情報信号が蓄積されることになる。さらに、ショックプルーフメモリ１１にはディスク１より読み出したＵ−ＴＯＣ情報（ディスクタイトル名や各トラックタイトル名等）の格納も行っており、例えばディスク１に記録されている各曲のスタート位置、エンド位置、あるいは時間情報等を得ることができる。
【００２４】
続いて、音声伸長回路１２は入力された前記情報信号を所定のフォーマットに従って時間軸伸長することで圧縮を解き、Ｄ／Ａコンバータ１３に送る。Ｄ／Ａコンバータ１３は圧縮を解かれた前記情報信号をアナログ変換することで元の音声／音楽データを生成する。そして、アンプ回路１４を介することで前記音声／音楽データの音量等を調節し、ヘッドホン１５を通じて使用者に前記音声／音楽データの再生出力を行う。
【００２５】
一方、前記ＭＤ再生装置の制御を行うシステムコントローラ９には、その内部にランダムアクセスメモリー１６（以下、ＲＡＭ１６と呼ぶ）を設けている。ＲＡＭ１６の記憶容量は比較的小さいものであり、通常は前記ＭＤ再生装置の動作保持に必要な情報を格納するために用いられる。また、システムコントローラ９は電源電圧検出回路１７で検出した電源１８の電圧値を常時チェックしており、電源１８の電圧値がディスク１の再生動作に適しているか否かといった確認を行ってから電源回路１９に電力供給を行っている。電源回路１９はＤＣ−ＤＣ変換回路等で構成されており、前記ＭＤ再生装置の各部に必要な電圧を供給している。なお、電源１８としては携帯性が良く長寿命のリチウムイオン充電池等を用いるとよい。
【００２６】
ここで、本発明に係るＭＤ再生装置においては、システムコントローラ９にディスク交換検出スイッチＳ1及びディスク連続再生スイッチＳ2を接続しており、各スイッチの状態をシステムコントローラ９で監視している。このディスク交換検出スイッチＳ1とは使用者の操作によりディスクが交換中であるか否かを検出するためのスイッチである。具体的にはディスクが交換中である時、すなわち前記ＭＤ再生装置にディスクが装填されていない時にはＳ1はＯＮとなり、逆にディスクが装填されている時にはＳ1はＯＦＦとなるものである。
【００２７】
また、ディスク連続再生スイッチＳ2とは前記ＭＤ再生装置の再生モードが「通常再生モード」であるか、もしくは「連続再生モード」であるかを検出するためのスイッチである。「通常再生モード」とは従来のＭＤ再生装置と同様に、現在再生中のディスク（以下、第１ディスクと呼ぶ）を新たなディスク（以下、第２ディスクと呼ぶ）に交換する場合、使用者が前記ＭＤ再生装置から第１ディスクを取り出した時点でショックプルーフメモリ１１に蓄えた第１ディスクの情報信号（以下、第１情報信号と呼ぶ）を全て破棄して再生動作を完全に停止するモードである。「通常モード」では使用者が新たに第２ディスクを前記ＭＤ再生装置に装填し、再生開始操作を行った時に初めて第２ディスクの再生動作が開始する。なお、この「通常再生モード」が選択されている場合にはＳ2はＯＦＦとなっている。
【００２８】
それに対して、「連続再生モード」とは前記ＭＤ再生装置から第１ディスクを取り出してディスク交換を行っている最中も、ショックプルーフメモリ１１に蓄えた第１情報信号を消去せずに時間軸伸長することで第１情報信号の再生動作を継続し、第１情報信号の再生中に新たに第２ディスクが装填された場合には引き続いて第２ディスクの読み出しを開始することで第２ディスクに記録されている情報信号（以下、第２情報信号と呼ぶ）をショックプルーフメモリ１１の空き領域に順次格納していくモードである。
【００２９】
なお、第２情報信号の再生については改めて再生開始操作を行うことなく、第１情報信号の再生が終了した時点で自動的に再生動作を開始するものである。これにより、従来の課題であったディスク交換に伴う無音時間を短縮することができる。なお、この「連続再生モード」が選択されている場合にはＳ2はＯＮとなっている。
【００３０】
以下では、本発明に係るＭＤ再生装置の動作についてフローチャートを用いて具体的に説明する。図２は本発明に係るＭＤ再生装置の動作を示すフローチャートである。ディスクの再生を行うにあたり、前記ＭＤ再生装置はステップ＃５においてディスクが前記ＭＤ再生装置に装填されているか否かを検出する。ここでディスクが装填されている場合、すなわちディスク交換検出スイッチＳ1がＯＦＦである場合にはステップ＃１０に進むが、ディスクが装填されておらずＳ1がＯＮである場合には装置停止状態となる。
【００３１】
ステップ＃１０では前記ＭＤ再生装置のサーボ回路８等を現在装填中の第１ディスクにとって最適な状態となるように自動調整を行う。その後、ステップ＃１５に進んで第１ディスクからＵ−ＴＯＣ情報を読み取り、ショックプルーフメモリ１１にそのＵ−ＴＯＣ情報を格納する。これにより、前記ＭＤ再生装置は第１ディスクの再生動作に必要な情報を得る。そして、ステップ＃２０にて第１ディスクの再生動作を開始する。ここでは前述した通り、第１ディスクに記録されている音声／音楽データ等の第１情報信号を１．４Ｍｂｉｔ／秒の処理速度でショックプルーフメモリ１１に格納しつつ、音声伸長回路１２では０．３Ｍｂｉｔ／秒の処理速度で前記情報信号の圧縮を解いている。これにより、ショックプルーフメモリ１１に第１情報信号を蓄積しながらヘッドホン１５に再生音の出力を行う。
【００３２】
ステップ♯２５においては第１ディスクから第１情報信号が全て読み出され、ショックプルーフメモリ１１への格納が完了し、ショックプルーフメモリ１１に蓄積されている第１情報信号の残量を確認している。ここで、ショックプルーフメモリ１１から未だ読み出されていない第１情報信号の残量が予め設定した所定値よりも下回った場合には、ステップ♯３０に進み、そうでない場合にはステップ♯３５に進む。
【００３３】
第１情報信号の残量が予め設定した所定値よりも下回ってステップ♯３０に進むと、システムコントローラ９はヘッドホン１５からの再生音に警告音を重畳し、使用者に対して第１情報信号の残量が予め設定した所定値よりも下回っていることを知らせる。これにより、第１ディスクから読み出した第１情報信号が未だショックプルーフメモリ１１に残っている段階で、使用者に第１ディスクの交換時期となったことを知らせることができる。なお、ヘッドホン１５からの再生音に前記警告音を重畳するだけでなく、表示素子(図示せず)に警告表示を行ってもよい。
【００３４】
その後、ステップ♯４０では第１ディスクが使用者によって前記ＭＤ再生装置から取り出されたか否か、すなわちディスク交換検出スイッチＳ１がＯＮとなったかどうかの確認を行っている。Ｓ１がＯＮであることを確認した場合にはステップ♯４５に進む。一方、第１ディスクからの第１情報信号の残量が予め設定した所定値よりも下回っていることを知らせているにも拘わらず第１ディスクが依然として前記ＭＤ再生装置に装填されており、Ｓ１がＯＦＦのままである場合、ステップ♯５０にてショックプルーフメモリ１１に格納している第１情報信号を全て再生し終えたかどうかを判定している。ここで、ショックプルーフメモリ１１に未再生の第１情報信号が残っている場合にはステップ♯４０に戻り、第１ディスクが取り出されたか否かを改めて確認する。一方、ショックプルーフメモリ１１に蓄えている第１情報信号を全て再生し終えた場合には前記ＭＤ再生装置の再生動作を停止する。
【００３５】
ここで、一旦フローの説明をステップ＃２５に戻す。ステップ＃２５においてショックプルーフメモリ１１に蓄積した第１情報信号の残量が予め設定した所定値を下回っておらず、第１ディスクから第１情報信号の読み出しが未だ完了していないと判断した場合にはステップ＃３５に進む。ステップ＃３５では第１ディスクの再生動作中に使用者が第１ディスクを前記ＭＤ再生装置から取り出したか否かを判定している。第１ディスクが取り出されずディスク交換検出スイッチＳ1がＯＦＦのままならば、ステップ＃２０に戻って第１ディスクの再生動作を継続する。一方、第１ディスクの再生動作中に使用者が第１ディスクを前記ＭＤ再生装置から取り出し、ディスク交換検出スイッチＳ1がＯＮとなった場合にはステップ＃４５に進む。
【００３６】
以上に説明したように、第１ディスクの再生動作を始めてから使用者が第１ディスクを前記ＭＤ再生装置から取り出した場合、第１情報信号を全てショックプルーフメモリ１１に格納したか否かに関係なくステップ＃４５に進むことになる。ステップ＃４５では前記ＭＤ再生装置の再生モードが「連続再生モード」であるか否か、すなわちディスク連続再生スイッチＳ2がＯＮであるか否かを確認しており、Ｓ2がＯＮの場合には現在の再生モードが「連続再生モード」であると判断してステップ＃５５に進む。一方、Ｓ2がＯＦＦであり現在の再生モードが「通常再生モード」であると判断した場合にはステップ＃６０に進む。
【００３７】
前述の通り、「通常再生モード」は従来のＭＤ再生装置と同様の再生動作を行うモードであるため、ステップ＃６０に進んだ場合には第１ディスクからショックプルーフメモリ１１に読み込んだ第１情報信号及びＵ−ＴＯＣ情報を全てクリアした後に、前記ＭＤ再生装置の再生動作を停止する。一方、ステップ＃４５において現在の再生モードが「連続再生モード」であると判断した場合にはステップ＃５５に進み、第１ディスクから読み出してショックプルーフメモリ１１に格納したデータのうち第１情報信号以外のデータ、すなわち第１ディスクの再生動作に関わるＵ−ＴＯＣ情報を、システムコントローラ９中に設けたＲＡＭ１６に移動させる。
【００３８】
前述の通り、ＲＡＭ１６の記憶容量は比較的小さいものであるが、前記Ｕ−ＴＯＣ情報を記憶するには十分な記憶容量である。これにより、前記Ｕ−ＴＯＣ情報を別途記憶するためだけに新たなメモリを増設する必要がないため、コストを抑えたままでショックプルーフメモリ１１の空き領域を増やすことができる。
【００３９】
その後はステップ＃６５に進み、第１ディスクからショックプルーフメモリ１１に格納した第１情報信号の読み出しを続けることで、第１ディスクの再生動作を継続する。ステップ＃７０では前記ＭＤ再生装置に新たなディスク（以後、第２ディスクと呼ぶ）が装填されたか否かを確認している。ここで第２ディスクが装填された場合、すなわちディスク交換検出スイッチＳ1がＯＦＦとなった場合にはステップ＃７５に進むが、第２ディスクが装填されずにＳ1がＯＮのままである場合にはステップ＃８０に進む。
【００４０】
第２ディスクが装填されない場合、ステップ＃８０ではショックプルーフメモリ１１に格納している第１情報信号を全て再生し終えたかどうかを判定している。ここで、ショックプルーフメモリ１１に未再生の第１情報信号が残っている場合にはステップ＃６５に戻り、ショックプルーフメモリ１１に残っている前記情報信号の読み出しを継続する。一方、ショックプルーフメモリ１１に蓄えていた第１情報信号を全て再生し終えた場合には、ショックプルーフメモリ１１及びＲＡＭ１６をともにリセットして前記ＭＤ再生装置の動作を停止する。このような構成とすることで、たとえ第２ディスクの装填ができなかった場合でも第１情報信号を全て再生することができれば、使用者にとっては納得がいくものとなる。
【００４１】
ステップ＃７０で第２ディスクの装填を確認した場合、ステップ＃７５では前記ＭＤ再生装置のサーボ回路８等を第２ディスクにとって最適な状態となるように自動調整を行う。その後、ステップ＃８５に進んで第２ディスクからＵ−ＴＯＣ情報を読み取り、ショックプルーフメモリ１１にそのＵ−ＴＯＣ情報を格納する。これにより、前記ＭＤ再生装置は第２ディスクの再生動作に必要な情報を得る。また、第２ディスクに記録されている音声／音楽データ等の情報信号（以下、第２情報信号と呼ぶ）についても読み取りを開始し、ショックプルーフメモリ１１の空き領域に順次格納を行っていく。なお、図中には示していないがステップ＃７５及びステップ＃８５における第２ディスクの準備動作中にもショックプルーフメモリ１１に蓄積した第１情報信号の読み出しは継続している。
【００４２】
その後、ステップ＃９０ではショックプルーフメモリ１１に蓄積した第１情報信号を全て再生し終えたかどうかを判定している。ここで、ショックプルーフメモリ１１に未再生の第１情報信号が残っている場合には、ステップ＃８５に戻って引き続きショックプルーフメモリ１１に残っている第１情報信号を読み出すとともに、第２情報信号をショックプルーフメモリ１１の空き領域に格納していく。一方、ショックプルーフメモリ１１に蓄積した第１情報信号を全て再生し終えた場合にはステップ＃９５に進んで、既にショックプルーフメモリ１１に蓄えられている第２情報信号の読み出しを開始することで、自動的に第２ディスクの再生動作に移行する。以後はステップ＃２０に戻って同様のステップを繰り返す。
【００４３】
ここで、ステップ＃７５及びステップ＃８５における第２情報信号の読み取りが始まる前にショックプルーフメモリ１１に蓄積した第１情報信号の読み出しが完了してしまった場合には、アンプ回路１４を制御して音声ミュートをかけたり、ビープ音のような警告音をヘッドホン１５に出力するとよい。また、第１情報信号の再生が終了する際にフェードアウトをかけるようにしてもよい。
【００４４】
なお、前記ＭＤ再生装置が「連続再生モード」である時に、現在再生中の第１ディスクから第１情報信号を全て読み出していないにも拘わらず第１ディスクが前記ＭＤ再生装置から取り出され、かつ前記ショックプルーフメモリ１１に蓄えた第１情報信号の再生中に新たな第２ディスクが前記ＭＤ再生装置に装填された場合、前述したようにステップ＃９０においてショックプルーフメモリ１１に蓄えた第１情報信号を全て再生し終えるまで第２情報信号の再生を待機するのではなく、比較的短い所定時間ｔ1だけ第１情報信号の再生を行い、引き続いて第２情報信号の再生に移行するようにしてもよい。これにより、再生途中にも拘わらず前記ＭＤ再生装置から取り出された第１ディスクの再生を早期に停止し、第２ディスクの再生動作を速やかに開始することができるので、前記ＭＤ再生装置の使用者にとっては納得がいくものとなる。
【００４５】
また、ショックプルーフメモリ１１に蓄積した第１情報信号の切れ目、すなわち現在再生中の曲が終わるまでに要する時間ｔ2だけ第１情報信号の再生を行い、引き続いて第２情報信号の再生に移行するようにしてもよい。これにより、第１ディスクの再生動作は曲の終わりにて終了するため、前記ＭＤ再生装置の使用者にとっては非常に切りがよく、第２ディスクの再生動作への移行時にも違和感が少なくて済む。
【００４６】
さらに、上記した２つの実施形態を組み合わせて前記所定時間ｔ1と現在再生中の曲が終わるまでに要する時間ｔ2とを比較し、短い方の時間が経過するまでは第１情報信号の再生を行うような構成とすることがより望ましい。例えば、前記所定時間ｔ1を３０秒と設定している前記ＭＤ再生装置において、現在再生中の曲が終わるまでに要する時間ｔ2が４０秒であった場合、第１ディスクの再生は３０秒で終了し第２ディスクへの移行が速やかに行われるので使用者にとって納得がいく動作となる。逆に、現在再生中の曲が終わるまでに要する時間ｔ2が２０秒と短い場合には、現在再生中の曲が終わった時点で第１ディスクの再生も終了するので、使用者はさらに次の曲を１０秒だけ聴くといったことがなく違和感も少なくて済む。
【００４７】
なお、上記した実施形態においては携帯用のＭＤ再生装置を例に挙げて説明を行ったが、本発明はＭＤ再生装置に限るものではなく、ディスクから読み出した情報信号をメモリに格納しながら、前記メモリに対する書き込み速度より遅い速度で前記メモリから前記情報信号を読み出すことで、前記メモリに前記情報信号を蓄積しつつ前記ディスクの再生を行うディスク再生装置に広く適用しうるものである。
【００４８】
【発明の効果】
本発明に係るディスク再生装置は、ディスクを１枚だけ装填することができ、ディスクから読み出した情報信号をメモリに蓄積しながら前記ディスクの再生を行うディスク再生装置において、現在再生中の第１ディスクが前記ディスク再生装置から取り出された場合には、第１ディスクから読み出して前記メモリに蓄積しておいた第１情報信号を消去せずに再生動作を継続し、その第１情報信号の再生中に新たな第２ディスクが装填された場合には、第２ディスクに記録されている第２情報信号の読み出しを開始して前記メモリの空き領域に順次格納していき、第１情報信号の再生が終了した時点で自動的に第２情報信号の再生に移行させるように制御を行うものである。
【００４９】
これにより、前記ディスク再生装置の使用者が現在再生中の第１ディスクを任意の時点で前記ディスク再生装置から取り出しても、前記メモリに未再生の第１情報信号が残っている間に新たな第２ディスクを装填しさえすれば、ディスクの交換時における無音時間を短縮した連続的な再生を実現することができる。
【００５０】
また、本発明に係るディスク再生装置においては、現在再生中の第１ディスクから第１情報信号を全て読み出して前記メモリに格納し終えたことを、前記ディスク再生装置の使用者に知らせる手段を設けている。これにより、第１ディスクから読み出した第１情報信号が未だ前記メモリに残っている段階で、前記ディスク再生装置の使用者に対して第１ディスクの交換時期となったことを知らせることができる。よって、前記メモリに蓄積した第１情報信号による再生動作が継続している間に新たな第２ディスクへの交換を行うことができるので、ディスク交換時の無音時間を短縮することができる。
【００５１】
さらに、現在再生中の第１ディスクに記録されている第１情報信号の読み出しを完了していないにも拘わらず、第１ディスクが前記ディスク再生装置から取り出され、かつ前記メモリに蓄積した第１情報信号の再生中に新たな第２ディスクが前記ディスク再生装置に装填された場合には、予め設定しておいた所定時間ｔ1と、現在再生中の第１情報信号を区切りまで再生し終えるのに要する時間ｔ2とを比較して、いずれか短い方の時間が経過するまでは第１情報信号の再生を継続し、その後自動的に第２情報信号の再生に移行するような構成にするとよい。
【００５２】
こうした構成とすることにより、ｔ1＜ｔ2の場合には再生途中にも拘わらず前記ディスク再生装置から取り出された第１ディスクの再生を早期に停止し、第２ディスクの再生動作を速やかに開始することができるので、前記ディスク再生装置の使用者にとっては納得がいく動作となる。一方、ｔ1＞ｔ2の場合には第１ディスクの再生動作は曲の終わりにて終了するため、前記ディスク再生装置の使用者にとっては非常に切りがよく、第２ディスクの再生動作への移行時にも違和感が少なくて済む。
【００５４】
加えて、本発明に係るディスク再生装置においては、現在再生中の第１ディスクが前記ディスク再生装置から取り出されたにも拘わらず、新たな第２ディスクが前記ディスク再生装置に装填されない場合には、前記メモリに蓄積しておいた第１情報信号を全て読み出すまで再生動作を継続するものである。これにより、たとえ第２ディスクの装填ができなかった場合でも第１情報信号を全て再生することができれば、使用者にとっては納得がいくものとなる。
【００５５】
また、本発明に係るディスク再生装置においては、現在再生中の第１ディスクが前記ディスク再生装置から取り出された場合に、前記メモリに蓄積しておいた第１情報信号を消去することなく再生動作を継続するか、前記メモリに蓄積した全ての情報信号を消去して前記ディスク再生装置を停止するかを予め選択しておくための切替手段を設けている。これにより、前記ディスク再生装置の使用者が時と場合によって、ディスク交換時の無音時間を短縮した「連続再生モード」か、従来通りの「通常再生モード」かを任意に選択することができるので非常に使い勝手がよい。
【図面の簡単な説明】
【図１】  本発明に係るＭＤ再生装置の概略構成を示すブロック図である。
【図２】  本発明に係るＭＤ再生装置の動作を示すフローチャートである。
【符号の説明】
１    ミニディスク
２    スピンドルモータ
３    ピックアップ
４    送りモータ
５    ドライバ回路
６    ＲＦアンプ
７    デコーダ／信号処理回路
８    サーボ回路
９    システムコントロール用マイクロコンピュータ
１０  ショックプルーフメモリコントローラ
１１  ショックプルーフメモリ
１２  音声伸長回路
１３  Ｄ／Ａコンバータ
１４  アンプ回路
１５  ヘッドホン
１６  ランダムアクセスメモリー（ＲＡＭ）
１７  電源電圧検出回路
１８  電源
１９  電源回路
【図１】
0003680924.tif 000002
【図２】
0003680924.tif 000003